(57)【要約】【課題】  ベルトコンベヤの形状にかわらず、ベルトコンベヤに溜まった水を十分に除去可能な水切り装置を提供する。【解決手段】  本発明の一態様に係る水切り装置は、キャリア側のベルトに溜まった水を除去するベルトコンベヤの水切り装置であって、キャリア側のベルトを断面視で上方に凸となるよう反転変形させる反転機構を備えている。【選択図】図２
2019043762.tif 000002
【特許請求の範囲】
【請求項１】
キャリア側のベルトに溜まった水を除去するベルトコンベヤの水切り装置であって、
前記キャリア側のベルトを断面視で上方に凸となるよう反転変形させる反転機構を備えた、水切り装置。
【請求項２】
前記反転機構は、任意のタイミングで前記キャリア側のベルトを反転変形させることができるように構成されている、請求項１に記載の水切り装置。
【請求項３】
前記反転機構は、
前記キャリア側のベルトの幅方向中央部分を下方から支持する中央支持ローラと、
前記キャリア側のベルトの幅方向両端部分をそれぞれ上方から押さえつけて、前記キャリア側のベルトを反転変形させる一対の押し当てローラと、
を有する、請求項２に記載の水切り装置。
【請求項４】
前記中央支持ローラは幅方向において水平に延び、
前記一対の押し当てローラはそれぞれ幅方向外側が低くなるように傾斜している、
請求項３に記載の水切り装置。
【請求項５】
前記中央支持ローラと前記一対の押し当てローラとは同じ長手方向位置に配置されている、請求項４に記載の水切り装置。
【請求項６】
前記反転機構は、前記中央支持ローラと異なる長手方向位置に配置され、前記キャリア側のベルトの幅方向両端部をそれぞれ下方から支持する一対の端部支持ローラをさらに有し、
前記一対の端部支持ローラは、前記キャリア側のベルトを反転変形させる際、下方に退避するよう構成されている、請求項５に記載の水切り装置。
【請求項７】
前記一対の端部支持ローラは、それぞれ幅方向外側が高くなるように傾斜しており、前記キャリア側のベルトを反転変形させる際、幅方向に延びる回動軸まわりに回動することにより下方に退避するよう構成されている、請求項６に記載の水切り装置。
【発明の詳細な説明】
【技術分野】
【０００１】
本発明は、ベルトに溜まった水を除去するベルトコンベヤの水切り装置に関する。
【背景技術】
【０００２】
屋外に設置されるベルトコンベヤは、雨などにより搬送物を乗せるベルトに水が溜まる場合がある。これまで、ベルトコンベヤに溜まった水を除去するには、ベルトにスクレイパを押し当てて水を掻き取るスクレイパ式の水切り装置が使用されてきた（特許文献１参照）。
【先行技術文献】
【特許文献】
【０００３】
【特許文献１】特開２０００−２８９８３７号公報
【発明の概要】
【発明が解決しようとする課題】
【０００４】
ただし、ベルトコンベヤのベルトの断面が湾曲しているような場合は、上記のスクレイパをベルトに密着させるのは容易ではない。仮に、スクレイパをベルトに密着させることができなければ、スクレイパ式の水切り装置ではベルトコンベヤに溜まった水を十分に除去することができない。
【０００５】
本発明は、以上のような事情に鑑みてなされたものであり、ベルトコンベヤの形状にかわらず、ベルトコンベヤに溜まった水を十分に除去可能な水切り装置を提供することを目的としている。
【課題を解決するための手段】
【０００６】
本発明の一態様に係る水切り装置は、キャリア側のベルトに溜まった水を除去するベルトコンベヤの水切り装置であって、前記キャリア側のベルトを断面視で上方に凸となるよう反転変形させる反転機構を備えている。
【０００７】
この構成によれば、キャリア側のベルトを断面視で上方に凸となるように反転変形させることにより、キャリア側のベルトに溜まった水を幅方向外側に排出することができる。そのため、上記の構成によれば、スクレイパ式の水切り装置のようにスクレイパをベルトに密着させる必要がないため、ベルトコンベヤの形状にかかわらず、ベルトコンベヤに溜まった水を十分に除去することができる。
【０００８】
また、上記の水切り装置において、前記反転機構は、任意のタイミングで前記キャリア側のベルトを反転変形させることができるように構成されていてもよい。
【０００９】
この構成によれば、搬送物を搬送する際にベルトを反転変形させないようにできるため、搬送物がベルトコンベヤから脱落するのを防ぐことができる。
【００１０】
また、上記の水切り装置において、前記反転機構は、前記キャリア側のベルトの幅方向中央部分を下方から支持する中央支持ローラと、前記キャリア側のベルトの幅方向両端部分をそれぞれ上方から押さえつけて、前記キャリア側のベルトを反転変形させる一対の押し当てローラと、を有していてもよい。
【００１１】
この構成によれば、キャリア側のベルトを容易に反転変形させることができる。
【００１２】
また、上記の水切り装置において、前記中央支持ローラは幅方向において水平に延び、前記一対の押し当てローラはそれぞれ幅方向外側が低くなるように傾斜していてもよい。
【００１３】
この構成では、キャリア側のベルトが中央支持ローラおよび各押し当てローラに沿って反転変形することになる。そのため、キャリア側のベルトの広い範囲に力が加わり、キャリア側のベルトを安定して反転変形させることができる。
【００１４】
また、上記の水切り装置において、前記中央支持ローラと前記一対の押し当てローラとは同じ長手方向位置に配置されていてもよい。
【００１５】
この構成によれば、各押し当てローラが中央支持ローラの近くに位置することになるため、各押し当てローラからの力がキャリア側のベルトに効率よく伝わる結果、キャリア側のベルトを安定して反転変形させることができる。
【００１６】
また、上記の水切り装置において、前記反転機構は、前記中央支持ローラと異なる長手方向位置に配置され、前記キャリア側のベルトの幅方向両端部をそれぞれ下方から支持する一対の端部支持ローラをさらに有し、前記一対の端部支持ローラは、前記キャリア側のベルトを反転変形させる際、下方に退避するよう構成されていてもよい。
【００１７】
この構成によれば、キャリア側のベルトの幅方向両端部が、各端部支持ローラによって下方から支持されるため、ベルトコンベヤが搬送物を搬送する際にベルトを変形させることなくしっかりと保持することができる。さらに、上記の構成によれば、キャリア側のベルトを反転変形させる際、各端部支持ローラは下方に退避するため、押し当てローラやキャリア側のベルトとの干渉を回避し、各端部支持ローラが反転変形の障害になるのを防ぐことができる。
【００１８】
また、上記の水切り装置において、前記一対の端部支持ローラは、それぞれ幅方向外側が高くなるように傾斜しており、前記キャリア側のベルトを反転変形させる際、幅方向に延びる回動軸まわりに回動することにより下方に退避するよう構成されていてもよい。
【００１９】
この構成によれば、簡易な構造で各の端部支持ローラを下方に退避させることができる。
【発明の効果】
【００２０】
上記の水切り装置によれば、ベルトコンベヤの形状にかかわらず、ベルトコンベヤに溜まった水を十分に除去することができる。
【図面の簡単な説明】
【００２１】
【図１】図１は、水切り装置を構成する各ローラとベルトコンベヤの位置関係を示した図である。
【図２】図２は、水切り装置を構成する各ローラとベルトコンベヤの位置関係を示した図であって、ベルトを反転変形させた状態を示している。
【図３】図３は、水切り装置の右側面図である。
【図４】図４は、水切り装置の右側面図であって、ベルトを反転変形させた状態を示している。
【図５】図５は、図３におけるV−V矢視断面図である。
【図６】図６は、図４におけるVI−VI矢視断面図である。
【図７】図７は、図３におけるVII−VII矢視断面図である。
【発明を実施するための形態】
【００２２】
以下、本発明の実施形態に係る水切り装置について図を参照しながら説明する。以下では、全ての図面を通じて同一又は相当する要素には同じ符号を付して、重複する説明は省略する。
【００２３】
本実施形態に係る水切り装置１００は、任意のタイミングでベルトコンベヤ１０１を反転変形させて、ベルトコンベヤ１０１に溜まった水を除去する装置である。図１は、水切り装置１００を構成する各ローラ２０、４０、４１とベルトコンベヤ１０１の位置関係を示した図である。図２は、水切り装置１００を構成する各ローラ２０、３０、３１、４０、４１とベルトコンベヤ１０１の位置関係を示した図であって、ベルトコンベヤ１０１（ベルト１０２）を反転変形させた状態を示している。
【００２４】
まず、本実施形態に係る水切り装置１００によって水切りが行われるベルトコンベヤ１０１について説明する。本実施形態のベルトコンベヤ１０１は屋外に設置されており、例えば石炭や鉄鉱石などのばら物を搬送する。ベルトコンベヤ１０１は回転する環状のベルト１０２を有している。ベルト１０２は搬送物を乗せて搬送方向に進行する「キャリア側」と搬送方向とは反対の方向に進行する「リターン側」に分けられる。このうち、図１から図７では、キャリア側のベルト１０２のみを示している。
【００２５】
図１及び図２では、ベルトコンベヤ１０１のキャリア側のベルト１０２（以下、単に「ベルト１０２」と称す）は、紙面右上に向かって進行する。なお、以下では、ベルト１０２の進行方向を向いて右および左をそれぞれ単に「右」および「左」と称して説明する。図１に示すように、ベルト１０２は、進行方向に対して垂直な断面視において下方に凸の形状を有している。具体的には、ベルト１０２は、水平に延びる底部１０３と、底部１０３の右端から右斜め上方に向かって延びる右壁部１０４と、底部１０３の左端から左斜め上方に向かって延びる左壁部１０５と、を有している。また、ベルト１０２は可撓性を有しており、ベルト１０２に一定以上の力を加えると変形するように構成されている。
【００２６】
ベルトコンベヤ１０１のベルト１０２は上記のように構成されているため、雨が降るとベルト１０２の底部１０３、右壁部１０４、および左壁部１０５で囲まれた部分に水が溜まる。そして、ベルトコンベヤ１０１に溜まった水は、本実施形態に係る水切り装置１００によって除去される（水切りが行われる）。なお、ベルト１０２に搬送物が乗った状態で水切りを行うと搬送物が脱落するおそれがあるため、本実施形態では搬送物を乗せない状態でベルトコンベヤ１０１を稼動させる予備運転時に水切りを行う。
【００２７】
続いて、本実施形態に係る水切り装置１００の構成について説明する。本実施形態に係る水切り装置１００は、ベルト１０２を断面視で上方に凸となるよう反転変形させる反転機構１０を備えている。そして、本実施形態の反転機構１０は、中央支持ローラ２０と、右押し当てローラ３０と、左押し当てローラ３１と、右端部支持ローラ４０と、左端部支持ローラ４１と、を有している。以下、各ローラ２０、３０、３１、４０、４１について順に説明する。
【００２８】
なお、図３は、水切り装置１００の右側面図である。また、図４は、水切り装置１００の右側面図であって、ベルト１０２を反転変形させた状態を示している。図３及び図４では、紙面上方がベルト１０２の進行方向である。さらに、図５は図３におけるV−V矢視断面図であり、図６は図４におけるVI−VI矢視断面図であり、図７は図３におけるVII−VII矢視断面図である。
【００２９】
中央支持ローラ２０は、ベルト１０２の幅方向中央部分にあたる底部１０３を下方から支持するローラである。図１に示すように、中央支持ローラ２０は、ベルト１０２の長手方向（進行方向）において等間隔に複数配置されている。各中央支持ローラ２０は幅方向（左右方向）において水平に延びている。また、図５に示すように、中央支持ローラ２０は、両端部が中央支持部材２１によって回転可能に支持されており、幅方向寸法がベルト１０２の底部１０３の幅方向寸法と同程度か又はわずかに小さくなるように形成されている。
【００３０】
右押し当てローラ３０は、ベルト１０２の幅方向右端部分にあたる右壁部１０４を上方から押さえつけるローラであり、左押し当てローラ３１は、ベルト１０２の幅方向左端部分にあたる左壁部１０５を上方から押さえつけるローラである。図２に示すように、これら左右の押し当てローラ３０、３１は、複数ある中央支持ローラ２０のうちの１つと同じ長手方向位置に配置されている。つまり、本実施形態の反転機構１０は、１組の右押し当てローラ３０および左押し当てローラ３１を有している。
【００３１】
また、図５に示すように、左右の押し当てローラ３０、３１は、それぞれ幅方向外側が低くなるように傾斜している。そして、左右の押し当てローラ３０、３１は、上下支持部材３２に回転可能に支持されている。この上下支持部材３２は、図外の電動アクチュエータ、油圧アクチュエータもしくは手動により上下方向に移動する。つまり、左右の押し当てローラ３０、３１は、任意のタイミングで上下方向に移動できるように構成されている。
【００３２】
左右の押し当てローラ３０、３１が下方に移動すると、右壁部１０４及び左壁部１０５が底部１０３よりも下方に押し下げられる。これにより、図６に示すように、ベルト１０２の左右の押し当てローラ３０、３１に対応する部分が断面視において上方に凸となり、ベルト１０２は反転変形する。その結果、ベルト１０２に溜まった水は、押し当てローラ３０、３１に対応する位置から幅方向外側に流れ落ちて除去される。
【００３３】
このように本実施形態に係る水切り装置１００は、スクレイパ式の水切り装置のようにスクレイパをベルトコンベヤに密着させる必要がないため、ベルトコンベヤの形状にかかわらず、ベルトコンベヤに溜まった水を十分に除去することができる。
【００３４】
なお、本実施形態では、左右の押し当てローラ３０、３１のベルト１０２を押し下げる力がベルト１０２に効率よく伝わるように、中央支持ローラ２０と左右の押し当てローラ３０、３１は同じ長手方向位置に配置されている。ただし、中央支持ローラ２０と左右の押し当てローラ３０、３１は異なる長手方向位置に配置されていてもよい。また、本実施形態の反転機構１０は、一対の押し当てローラ３０、３１を１組のみ有しているが、複数組有していてもよい。
【００３５】
右端部支持ローラ４０は、ベルト１０２の幅方向右端部にあたる右壁部１０４を下方から支持するローラであり、左端部支持ローラ４１は、ベルト１０２の幅方向左端にあたる左壁部１０４を下方から支持するローラである。図１に示すように、左右の端部支持ローラ４０、４１は、ベルト１０２の長手方向において等間隔に複数組配置されている。
【００３６】
さらに、図７に示すように、左右の端部支持ローラ４０、４１は、それぞれ幅方向外側が高くなるように傾斜している。そして、右端部支持ローラ４０は両端部が右支持部材４２に回転可能に支持されており、左端部支持ローラ４１は両端部が左支持部材４３に回転可能に支持されている。左右の端部支持ローラ４０、４１は、上記のように構成されているため、ベルトコンベヤ１０１が搬送物を搬送する際にベルト１０２の形状（断面視において下方に凸の形状）を維持し、搬送物が幅方向外側に落ちるのを防いでいる。
【００３７】
ここで、左右の端部支持ローラ４０、４１を中央支持ローラ２０と同じ長手方向位置に配置すると、ベルト１０２を反転変形させる際に左右の端部支持ローラ４０、４１と左右の押し当てローラ３０、３１が干渉してしまう。そこで、本実施形態では、図３に示すように、左右の端部支持ローラ４０、４１を中央支持ローラ２０と異なる長手方向位置に配置し、左右の端部支持ローラ４０、４１と左右の押し当てローラ３０、３１が干渉するのを防いでいる。
【００３８】
さらに、左右の端部支持ローラ４０、４１は、下方に退避できるように構成されている。具体的には、以下のように構成されている。まず、図７に示すように、左右の端部支持ローラ４０、４１は、幅方向に延びる回動軸部材４４を介して接続されている。そして、図３に示すように、各回動軸部材４４の一端には径方向外側に延びるレバー４５が接続されており、各レバー４５の先端は共通のロッド４６に回転可能に接続されている。そのため、図４に示すように、ロッド４６を長手方向に（搬送方向とは逆の方向に）移動させると、回動軸部材４４を中心として各レバー４５が回転し、これに伴ってレバー４５に接続されている左右の端部支持ローラ４０、４１も回動軸部材４４を中心として回動する。つまり、左右の端部支持ローラ４０、４１は、幅方向に延びる回動軸部材４４の軸心を回動軸とし、この回動軸まわりに回動する。これにより、左右の端部支持ローラ４０、４１は下方に退避する。
【００３９】
このように、本実施形態では、ベルト１０２を反転変形する際に左右の端部支持ローラ４０、４１を下方に退避するため、反転変形したベルト１０２が左右の端部支持ローラ４０、４１に干渉するのを防ぐことができ、その結果、ベルト１０２を確実に反転変形させることができる。なお、左右の端部支持ローラ４０、４１を下方に退避させる機構として、左右の端部支持ローラ４０、４１を回動させるのではなく下方にスライドさせる機構を採用してもよい。
【００４０】
また、左右の端部支持ローラ４０、４１を退避させることにより、ベルト１０２を反転変形させた際に左右の端部支持ローラ４０、４１が左右の押し当てローラ３０、３１やベルト１０２と干渉しないように構成できるのであれば、左右の端部支持ローラ４０、４１を中央支持ローラ２０と同じ長手方向位置に配置してもよい。
【００４１】
さらに、本実施形態の反転機構１０では、中央支持ローラ２０と左右の押し当てローラ３０、３１でベルト１０２を挟むようにしてベルト１０２を反転変形させていたが、反転機構１０はこのような構成に限られない。反転機構１０は、ベルト１０２を断面視で上方に凸になるよう反転変形できる構成であればよく、例えば、ベルト１０２の幅方向両端を下方に引っ張るような構成であってもよい。
【符号の説明】
【００４２】
１０  反転機構
２０  中央支持ローラ
３０  右押し当てローラ
３１  左押し当てローラ
４０  右端部支持ローラ
４１  左端部支持ローラ
１００  水切り装置
１０１  ベルトコンベヤ
１０２  ベルト
【図１】
2019043762.tif 000003
【図２】
2019043762.tif 000004
【図３】
2019043762.tif 000005
【図４】
2019043762.tif 000006
【図５】
2019043762.tif 000007
【図６】
2019043762.tif 000008
【図７】
2019043762.tif 000009